(57)【要約】【課題】装飾性のよい画像形成装置を提供することを目的とする。【解決手段】画像形成装置１は、透明または半透明の透明層２１と、透明層２１の内側に密着して形成された装飾層２３と、装飾層２３の内側に密着して形成された保護層２５と、を有する外装カバー２６と、外装カバー２６より内側に配置される内側カバー２７を備えたことを特徴とする。外装カバー２６は、装置内部を開放する開位置と、装置内部を閉鎖する閉位置との間で移動可能なカバー１０８に設けられており、外装カバー２６と内側カバー２７は、取っ手部材８Ａにより支持される。【選択図】図２
2020086342.tif 000002
【特許請求の範囲】
【請求項１】
透明または半透明の透明層と、前記透明層の内側に密着して形成された装飾層と、を有する外装カバーを備えたことを特徴とする画像形成装置。
【請求項２】
複数の前記外装カバーを備えることを特徴とする請求項１記載の画像形成装置。
【請求項３】
前記外装カバーは、前記装飾層の内側に密着して形成された保護層を備えることを特徴とする請求項１または２記載の画像形成装置。
【請求項４】
前記外装カバーは、樹脂により形成されることを特徴とする請求項１〜３の何れか記載の画像形成装置。
【請求項５】
前記外装カバーは、プレート形状に形成されることを特徴とする請求項１〜４の何れか記載の画像形成装置。
【請求項６】
前記外装カバーより内側に内側カバーを備えたことを特徴とする請求項１〜５の何れか記載の画像形成装置。
【請求項７】
前記外装カバーは、前記内側カバーに取り付けられていることを特徴とする請求項６記載の画像形成装置。
【請求項８】
前記内側カバーは板金により形成されることを特徴とする請求項６または７記載の画像形成装置。
【請求項９】
前記外装カバーは、装置内部を開放する開位置と、装置内部を閉鎖する閉位置との間で移動可能な開閉部材に設けられていることを特徴とする請求項１〜８の何れか記載の画像形成装置。
【請求項１０】
前記開閉部材は、取っ手部材を有し、
前記外装カバーと前記外装カバーより内側に設けられる内側カバーは、前記取っ手部材により支持されることを特徴とする請求項９記載の画像形成装置。
【請求項１１】
前記開閉部材を回動可能に支持するヒンジ部材部材と、
前記外装カバーと前記外装カバーより内側に設けられる内側カバーは、前記ヒンジ部材部材により支持されることを特徴とする請求項９または１０記載の画像形成装置。
【請求項１２】
シートに画像を形成する画像形成装置本体を収納し、
前記画像形成装置本体が排気口を有する側板を備え、
前記側板に対向する外側板を備え、
前記外側板の外側に前記外装カバーを備えたことを特徴とする請求項１〜１１の何れか記載の画像形成装置。
【請求項１３】
前記側板と前記外側板の間に空間が形成されるように、前記画像形成装置本体を位置決めする位置決め部を備えたことを特徴とする請求項１２記載の画像形成装置。
【発明の詳細な説明】
【技術分野】
【０００１】
本発明は、画像形成装置に関する。
【背景技術】
【０００２】
特許文献１には、補強リブと外側カバー装着部と取手部を有する内側カバーと、外側カバー装着部に装着される被装着部を有し、取手部を露出させる形状に形成された外側カバーとを備えた画像形成装置が記載されている。
【０００３】
特許文献２には、フロントカバーを、透明な樹脂によりプレート状に成形するとともに、装飾紙がフロントカバーの裏面に固着されるように、装飾紙をフロントカバーと一体に成形した電子機器が記載されている。
【発明の概要】
【発明が解決しようとする課題】
【０００４】
本発明は、装飾性のよい画像形成装置を提供することを目的とする。
【課題を解決するための手段】
【０００５】
本発明は、透明または半透明の透明層と、前記透明層の内側に密着して形成された装飾層と、を有する外装カバーを備えたことを特徴とする画像形成装置である。
【発明の効果】
【０００６】
本発明は、装飾性のよい画像形成装置を提供することができる。
【図面の簡単な説明】
【０００７】
【図１】本発明の一実施形態である画像形成装置１の斜視図である。
【図２】図１に示したカバー１０８の断面図（ｂ）である。
【図３】図１に示したカバー１０８を含む正面図（ａ）および上面図（ｂ）である。
【図４】図１に示した実施形態の使用状態を示す図である。
【図５】図１に示したカバー１０９Ｃを含む正面図（ａ）および右側面図（ｂ）である。
【図６】図１に示した実施形態の変形例である。
【図７】図６に示したカバー１０９Ｃを含む上面図である。
【図８】図１に示した実施形態の第２変形例である。
【図９】図８に示した画像形成装置の扉を閉じた状態の正面図である。
【発明を実施するための形態】
【０００８】
以下、図面を参照して、本発明の実施形態を詳細に説明する。
【０００９】
図１は、本発明の一実施形態である画像形成装置１の斜視図である。図１に示されるＸ軸方向は画像形成装置１の幅方向であり、Ｙ軸方向は画像形成装置１の高さ方向であり、Ｚ軸方向は画像形成装置１の奥行き方向である。
【００１０】
画像形成装置１は、原稿の画像を読取るスキャナ２と、原稿を搬送して搬送された原稿の画像を読み取る自動原稿搬送装置３と、画像形成装置１への操作入力を受け付ける操作部４と、画像形成されたシートが排紙される排紙部５と、原稿やシート等を載せるための載置部６と、シートに画像を形成する画像形成部７と、画像形成部７にて生じたシートのジャムを処理するためのジャム処理部８と、各々画像形成部７に搬送されるシートを積載するシートトレイ９Ａ、９Ｂ、９Ｃと、を備える。
【００１１】
画像形成装置１は、また、画像形成部７、ジャム処理部８、シートトレイ９Ａ、９Ｂ、９Ｃの各表面に、カバー１０７、１０８、１０９Ａ、１０９Ｂ、１０９Ｃを備えている。
【００１２】
画像形成装置１は、さらに、正面（Ｚ方向前側）にカバー１０９Ｄ、１１０Ｌ、１１０Ｒを備え、右側面（Ｘ方向右側）にカバー１００Ｒを備えるとともに、図示されない左側面（Ｘ方向右側）、背面（Ｚ方向奥側）にも同様のカバーを備える。
【００１３】
カバー１０７、１０８は、各々、取っ手部材７Ａ、８Ａ、上部ヒンジ部材７Ｂ、８Ｂ、および下部ヒンジ部材７Ｃ、８Ｃを備えている。上部ヒンジ部材７Ｂ、下部ヒンジ部材７Ｃは、カバー１０７を回動自在に支持し、上部ヒンジ部材８Ｂ、下部ヒンジ部材８Ｃは、カバー１０８を回動自在に支持する。
【００１４】
カバー１０７、１０８は、装置内部を開放する開位置と、装置内部を閉鎖する閉位置との間で移動可能な開閉部材の一例であり、各々、取っ手部材７Ａ、８Ａを引くことにより、上部ヒンジ部材７Ｂ、８Ｂ、および下部ヒンジ部材７Ｃ、８Ｃを回転支点として回転可能である。
【００１５】
カバー１０９Ａ、１０９Ｂ、１０９Ｃは、各々、取っ手部材１９Ａ、１９Ｂ、１９Ｃを備えている。カバー１０９Ａ、１０９Ｂ、１０９Ｃは、装置内部を開放する開位置と、装置内部を閉鎖する閉位置との間で移動可能な開閉部材の他の一例であり、各々、取っ手部材１９Ａ、１９Ｂ、１９Ｃを引くことにより、シートトレイ９Ａ、９Ｂ、９Ｃを引き出し可能である。
【００１６】
画像形成装置１は、周知の感光体、帯電手段、露光手段、現像手段、転写手段、定着手段、シート搬送手段を備えた電子写真装置、それもＹ、Ｍ、Ｃ、ＢＫトナーで画像を形成するフルカラー電子写真方式の画像形成装置であることが望ましい。また、インクジェットヘッドによるインクジェット方式の画像形成装置１であっても良い。
【００１７】
図２は、図１に示したカバー１０８の断面図である。以下、カバー１０８を例にとって説明するが、カバー１０７、１０９Ａ、１０９Ｂ、１０９Ｃ、カバー１０９Ｄ、１１０Ｌ、１１０Ｒ、カバー１００Ｒ、図示されない左側面（Ｘ方向右側）カバー、および背面（Ｚ方向奥側）カバーも、以下の構成を備える。
【００１８】
カバー１０８は、透明または半透明の透明層２１と、透明層２１の内側に密着して形成された装飾層２３と、装飾層２３の内側に密着して形成された白色の保護層２５を含む外装カバー２６と、外装カバー２６より内側に配置される内側カバー２７を備える。
【００１９】
外装カバー２６は、樹脂によりプレート形状に形成され、内側カバー２７は、板金により形成され、外装カバー２６は内側カバー２７に取り付けられている。
【００２０】
外装カバー２６は、透明層２１を介して装飾層２３が外側から認識できるようになっているため、光沢のあるデザインを表現できるとともに、装飾層２３が外部にさらされないため、装飾層２３のデザインが色あせたり、傷ついたりすることが防止される。
【００２１】
装飾層２３は、透明層２１の内側に密着して形成されるので、装飾層２３と透明層２１の間には空気層や接着層が存在しない。これにより、空気層や接着層に起因して装飾層２３が色あせすることが防止される。外装カバー２６を複数備える場合、複数の外装カバー２６間で光沢や色あせがばらつくことが防止され、全体として装飾性が向上する。
【００２２】
装飾層２３は、インクジェット方式で塗装を施すことで形成され、これにより、装飾層２３の厚さを自在に変更可能であり、質感のある装飾を行うことができる。
【００２３】
電子写真方式の画像形成装置１の場合は定着手段等、インクジェット方式の画像形成装置１の場合は乾燥手段等が発熱源として存在するが、外装カバー２６は、装飾層２３の内側に密着して形成された保護層２５を含むことにより、装置内部からの熱により装飾層２３が変色、変質することが低減される。
【００２４】
画像形成装置１では、上記発熱源の配置に起因して、装置内部からの熱は局所的になるが、保護層２５を備えることにより、装飾層２３が局所的に変色、変質することを低減し、均一な品質の装飾性を得ることができる。また、外装カバー２６を複数備える場合、保護層２５を備えることにより、複数の外装カバー２６間で光沢や色あせがばらつくことが防止され、全体として装飾性が向上する。
【００２５】
そして、保護層２５を白色に形成することにより、外装カバー２６より内側の色が装飾層２３に干渉することを防止し、装飾性が向上する。
【００２６】
外装カバー２６は、プレート形状に形成されることにより、容易に加工しやすいサイズにすることができる。
【００２７】
また、カバー１０８は、外装カバー２６の内側に内側カバー２７を備えることにより、外装カバー２６による装飾性と内側カバー２７による剛性を両立させることができる。
【００２８】
内側カバー２７は、板金により形成されることにより、薄くても耐熱性・防火性に優れる。
【００２９】
図３は、図１に示したカバー１０８を含む正面図（ａ）および上面図（ｂ）である。
【００３０】
上部ヒンジ部材８Ｂは、カバー側部材８１Ｂと、回転支点８３Ｂと、本体側部材８５Ｂを備える。回転支点８３Ｂは、本体側部材８５Ｂに固定されており、カバー側部材８１Ｂを回動自在に支持する。
【００３１】
外装カバー２６および内側カバー２７は、一端側をカバー側部材８１Ｂにより一体的に支持され、他端側を取っ手部材８Ａにより一体的に支持される。部品点数を削減し、外装カバー２６および内側カバー２７を保持させるためには、外装カバー２６および内側カバー２７の４つ角を保持することが望ましい。
【００３２】
外装カバー２６および内側カバー２７は、取っ手部材８Ａとカバー側部材８１Ｂによって保持されているので、例えば、取っ手部材８Ａを外すだけで、簡単に外装カバー２６を交換することができる。これにより、部品点数が削減され、締結部品を少なくすることでデザイン美観が向上する。
【００３３】
図４は、図１に示した実施形態の使用状態を示す図である。取っ手部材１９Ｃを引くことにより、シートトレイ９Ｃを引き出している状態を示す。
【００３４】
図５は、図１に示したカバー１０９Ｃを含む正面図（ａ）および右側面図（ｂ）である。以下、カバー１０９Ｃを例にとって説明するが、カバー１０９Ａ、１０９Ｂも、以下の構成を備える。
【００３５】
外装カバー２６および内側カバー２７は、一端側を取っ手部材１９Ｃにより一体的に支持され、他端側をネジ２８により一体的に支持される。外装カバー２６および内側カバー２７は、取っ手部材１９Ｃによって保持されているので、例えば、取っ手部材１９Ｃやネジ２８を外すだけで、簡単に外装カバー２６を交換することができる。これにより、部品点数が削減され、締結部品を少なくすることでデザイン美観が向上する。
【００３６】
図６は、図１に示した実施形態の変形例である。画像形成装置１は、取っ手部材１９Ａ、１９Ｂ、１９Ｃに代えて、取っ手部材２９Ａ、２９Ｂ、２９Ｃを各々カバー１０９Ａ、１０９Ｂ、１０９Ｃに備える。取っ手部材２９Ｃを引くことにより、シートトレイ９Ｃを引き出している状態を示す。以下、カバー１０９Ｃを例にとって説明するが、カバー１０９Ａ、１０９Ｂも、以下の構成を備える。
【００３７】
図７は、図６に示したカバー１０９Ｃを含む上面図である。外装カバー２６および内側カバー２７は、取っ手部材２９Ｃと締結部材２９０Ｃにより挟持されて一体的に支持される。外装カバー２６および内側カバー２７は、取っ手部材２９Ｃによって保持されているので、例えば、取っ手部材２９Ｃを外すだけで、簡単に外装カバー２６を交換することができる。これにより、部品点数が削減され、締結部品を少なくすることでデザイン美観が向上する。
【００３８】
図８は、図１に示した実施形態の第２変形例である。図９は、図８に示した画像形成装置の扉を閉じた状態の正面図である。
【００３９】
画像形成装置１は、シートに画像を形成する画像形成装置本体１００を収納する。画像形成装置１の大きさは、Ｘ軸方向に９００ｍｍ、Ｚ軸方向に４５０ｍｍの寸法であって、モノを収納する一般的なキャビネットを並列に配置することができる。
【００４０】
画像形成装置１は、天板２００を備えるとともに、Ｘ軸方向右側に、画像形成装置１の内部空間を開放する開閉部の一例としての右扉１０Ｒと、右扉１０Ｒに設けられた取っ手１１Ｒと、画像形成装置本体１００と、天板２００とほぼ同じ高さに配置されて画像形成装置本体１００への操作入力を受け付ける操作部４と、天板２００と画像形成装置本体１００の間に形成される空間である右側上方空間３００Ｒを備える。
【００４１】
天板２００は、上面が平坦に構成されており、これにより、天板２００の上にモノを置くことができて、作業台として使うことができる。
【００４２】
画像形成装置１は、Ｘ軸方向左側に、画像形成装置１の内部空間を開放する開閉部の一例としての左扉１０Ｌと、左扉１０Ｌに設けられた取っ手１１Ｌと、棚１６と、棚１６の上方に配置されて原稿の画像を読取って画像形成装置本体１００へ画像情報を送るスキャナ２と、スキャナ２の上方に配置されて原稿を搬送して搬送された原稿の画像を読み取って画像形成装置本体１００へ画像情報を送る原稿搬送装置３と、天板２００と原稿搬送装置３の間に形成される空間である左側上方空間３００Ｌを備える。左側上方空間３００Ｌには、トナーやシートなどのサプライ品を入れてもよい。天板２００には、左側上方空間３００Ｌの上方に切り欠き２４０が形成されている。
【００４３】
画像形成装置１は、さらに、Ｘ軸方向右端および左端にそれぞれ配置される右側板２１０Ｒおよび左側板２１０Ｌと、画像形成装置本体１００および棚１６を支持する支持部の一例としての支持板１２と、ネジ止め等により支持板１２に対して画像形成装置本体１００を位置決めする位置決め部１４と、右側上方空間３００Ｒと左側上方空間３００Ｌを仕切る仕切板３１０を備える。
【００４４】
支持板１２より下方には、正面側（Ｚ軸方向における前側）に開口する開口部が形成され、トナーやシートなどのサプライ品等のモノを収容できるスペースや、車椅子ユーザの足が入るスペースを確保することができる。開口部の幅方向における寸法は、画像形成装置本体１００の幅方向における寸法より大きくなっている。車椅子ユーザは、画像形成装置本体１００を使用するときに開口部に足を入れることで、画像形成装置本体１００に近づくことができる。
【００４５】
仕切板３１０は、Ｚ軸方向前側と後側に切り欠きが形成されており、この切り欠きを介して、右側上方空間３００Ｒと左側上方空間３００Ｌが連通している。図では、仕切板３１０の切り欠き以外の部分が表されている。
【００４６】
画像形成装置本体１００は、内部空間を開放する内側開閉部の一例であってＺ軸方向前端に配置される前側板１１１Ｆと、Ｘ軸方向右端および左端にそれぞれ配置される右側板１１１Ｒおよび左側板１１１Ｌと、右側板１１１Ｒおよび左側板１１１Ｌにそれぞれ配置される右側排気口１２０Ｒおよび左側排気口１２０Ｌと、Ｙ軸方向上端に配置される上板１１１∪と、上板１１１∪上に配置されて画像形成されたシートが排紙される排紙部５と、各々画像形成するためのシートを給送するシート給送部９Ａ、９Ｂを有する。
【００４７】
排紙部５は、右側上方空間３００Ｒを介して天板２００で上方を覆われている。排紙部５と天板２００の間の右側上方空間３００Ｒは、排紙部５に積載された排出シートの取り出し作業を容易に行うために十分なスペースを有している。シート給送部９Ａ、９Ｂは、シートを積載するシートトレイとして構成されており、画像形成装置本体１００の前面方向に引っ張られることで、画像形成装置本体１００内部から少なくともその一部を引き出される。
【００４８】
棚１６は、Ｘ軸方向右端に配置される中側板２１０Ｍを備え、Ｘ軸方向左端は、画像形成装置１の左側板２１０Ｌに取り付けられている。棚１６には、トナーやシートなどのサプライ品を入れてもよい。
【００４９】
画像形成装置１は、右扉１０Ｒや左扉１０Ｌ、及び右側板２１０Ｒや左側板２１０Ｌに、図２で説明した外装カバー２６を装着している。この構成によれば、画像形成装置本体１００と画像形成装置１の間（例えば右側板１１０Ｒと右側板２１０Ｒ）の間に空間が設けられ、ここに空気の流れが形成される。これにより、画像形成装置本体１００の右側板１１０Ｒ等に直接外装カバー２６を設けた構成よりも、画像形成装置本体１００内の定着装置などで発生する熱の影響を透明層２１と装飾層２３が受けにくくなる。この場合、保護層２５を設けなくても良いが、保護層２５を設けると一層、熱の影響を受けにくい。
【００５０】
また、画像形成装置本体１００は、右側板１１１Ｒおよび左側板１１１Ｌにそれぞれ右側排気口１２０Ｒおよび左側排気口１２０Ｌを備えているため、画像形成装置本体１００を直接設置すると、画像形成装置本体１００の側方に設置される他の設備・装置が直接排気を受けてしまい、デスクワークで他の設備・装置を使用する際に不快に感じてしまう。
【００５１】
本変形例は、側面に排気口を備えた画像形成装置本体１００を設置する場合でも、画像形成装置本体１００の側方に設置される他の設備・装置が直接排気を受けることがなく、デスクワークで他の設備・装置を使用する際に不快に感じることがない画像形成装置１を提供するものである。
【００５２】
画像形成装置１の右側板２１０Ｒ（外側板）は、画像形成装置本体１００の右側板１１１Ｒおよび右側排気口１２０Ｒに対向しており、画像形成装置本体１００は、右側板１１１Ｒと右側板２１０Ｒの間に空間が形成されるように、位置決め部１４によって支持板１２に対して位置決めされている。
【００５３】
これにより、排気口１２０Ｒから排出される排気が直接外部に排出されることが防止されるため、画像形成装置本体１００および画像形成装置１の側方に設置される他の設備・装置が直接排気を受けることがなく、画像形成装置本体１００および画像形成装置１の側方に他の設備・装置を設置しやすくなる。
【００５４】
また、画像形成装置本体１００を画像形成装置１で覆っているため、外装の継ぎ目を無くしてデザイン美観が向上できるとともに、静音化も図れて、デスクワークをしている近くに画像形成装置本体１００および画像形成装置１をおいても不快に感じない。すなわち、本実施形態に係る画像形成装置１により、側面に排気口を備えた画像形成装置本体１００を使いこなして、快適にデスクワークを行うことができる。
【００５５】
棚１６の中側板２１０Ｍは、画像形成装置本体１００の左側板１１１Ｌおよび左側排気口１２０Ｌに対向しており、画像形成装置本体１００は、左側板１１１Ｌと中側板２１０Ｍの間に空間が形成されるように、位置決め部１４によって支持板１２に対して位置決めされている。
【００５６】
画像形成装置１の右側板２１０Ｒには排気口が設けられておらず、天板２００の左側に形成された切り欠き２４０は、右側板１１１Ｒと右側板２１０Ｒの間の空間と連通している。
【００５７】
具体的には、右扉１０Ｒおよび左扉１０Ｌを閉じた状態で、右側排気口１２０Ｒから排出された排気は、右側板１１１Ｒと右側板２１０Ｒの間の空間から、自然対流により、画像形成装置本体１００の上板１００∪と天板２００の間の空間および仕切板３１０の切り欠き部分を経て、切り欠き２４０から画像形成装置１の外部に排出される。左側排気口１２０Ｌから排出された排気は、左側板１１１Ｌと中側板２１０Ｍの間の空間から、自然対流により、切り欠き２４０に至って画像形成装置１の外部に排出される。
【００５８】
これにより、画像形成装置本体１００の熱が切り欠き２４０から排出されるため、画像形成装置本体１００と画像形成装置１の空間の温度上昇を低減することと、画像形成装置本体１００および画像形成装置１の側方に他の設備・装置を設置しやすくすることを両立させることができる。
【００５９】
操作部４は天板２００の右側に配置されており、天板２００の左側に配置される切り欠き２４０とは重ならないように配置されている。これにより、操作部を使用する人に排気が直接当たることがない。
【００６０】
画像形成装置本体１００は、右扉１０Ｒや左扉１０Ｌを開いた場合でも、シートに画像を形成し、画像形成されたシートを排出部５に排紙可能である。これにより、右扉１０Ｒや左扉１０Ｌを開くたびに画像形成装置本体１００が停止することがなく、シートの補給等の作業性が悪くなることが防止される。画像形成装置本体１００が印刷中であっても、右扉１０Ｒや左扉１０Ｌを開くことで、棚１６に保管されたトナーやサプライ品などの保管品を補充したり取り出したりすることができる。
【００６１】
一方、画像形成装置本体１００は、前側板１１１Ｆが開かれている場合、シートに画像を形成する動作を行わない。これにより、安全性が確保される。
【符号の説明】
【００６２】
１        画像形成装置
８Ａ      取っ手部材
８Ｂ      上部ヒンジ部材
８Ｃ      下部ヒンジ部材
１９Ｃ    取っ手部材
２９Ｃ    取っ手部材
２１      透明層
２３      装飾層
２５      保護層
２６      外装カバー
２７      内側カバー
８１Ｂ    カバー側部材（ヒンジ部材）
１０８    カバー
【先行技術文献】
【特許文献】
【００６３】
【特許文献１】特許第４６７４４５１号公報
【特許文献２】特開２００４‐１１９８５２号公報
【図１】
2020086342.tif 000003
【図２】
2020086342.tif 000004
【図３】
2020086342.tif 000005
【図４】
2020086342.tif 000006
【図５】
2020086342.tif 000007
【図６】
2020086342.tif 000008
【図７】
2020086342.tif 000009
【図８】
2020086342.tif 000010
【図９】
2020086342.tif 000011